(57)【特許請求の範囲】
【請求項１】
衣類を収納し乾燥させる回転ドラムと、前記回転ドラム内へ温風を循環させる送風手段と、前記回転ドラムへの送風経路に設けた加熱手段と、前記回転ドラムから排出される排気温度を検知する温度検知手段と、前記回転ドラムおよび前記送風手段を駆動するモータと、前記温度検知手段により検知した温度のデータを入力し前記モータおよび前記加熱手段を制御して乾燥運転を制御する制御手段とを備え、前記制御手段は、前記温度検知手段により検知した温度のデータに基づき前記モータおよび前記加熱手段を制御して乾燥運転を行った後、前記加熱手段をオフして前記モータのみを駆動する冷却送風運転を行うようにし、前記冷却送風運転の時間は、乾燥運転開始時において前記温度検知手段により検知した温度のデータと、乾燥運転開始から冷却送風運転開始までの時間のデータとにより決定するようにした衣類乾燥機。
【請求項２】
制御手段は、冷却送風運転の終了時、温度検知手段により検知した温度が所定の温度以上であれば、冷却送風運転の時間を延ばすようにした請求項１に記載の衣類乾燥機。
【請求項３】
表示手段を備え、制御手段は、冷却送風運転終了の所定時間前に前記表示手段により冷却送風運転終了の所定時間前であることを表示するようにした請求項１または２に記載の衣類乾燥機。
【請求項４】
制御手段は、決定した冷却送風運転の時間が、冷却送風運転終了の所定時間前であることを表示する時間より短いとき、モータおよび加熱手段を制御する乾燥運転を前記所定時間から前記決定した冷却送風運転の時間を引いた時間延長した後、冷却送風運転を前記決定した冷却送風運転の時間行うようにした請求項３記載の衣類乾燥機。
【発明の詳細な説明】
【０００１】
【発明の属する技術分野】
本発明は、回転ドラム内の衣類に温風を与えて乾燥させる衣類乾燥機に関する。
【０００２】
【従来の技術】
近年、家庭用の衣類乾燥機は、自動的に乾燥度合いを検知して運転を止めるだけではなく、衣類や機器の温度上昇によるやけどを防止する衣類乾燥機が提案されている。従来、この種の衣類乾燥機は、特開平５−２０８０９７号公報に示すように構成していた。すなわち、乾燥運転および冷却送風運転を制御する制御手段と、回転ドラムの排気温度を検出する排気温度検出手段を備え、乾燥運転終了時の冷却送風運転での回転ドラムの排気温度が、回転ドラム内の衣類を取り出すときやけどの危険がない安全な温度よりも十分低くなるまで送風をしていた。
【０００３】
【発明が解決しようとする課題】
このような従来の衣類乾燥機では、回転ドラムの排気温度が安全な温度よりも十分低くなるまで冷却送風運転をするために、夏期の高温雰囲気中または布量が多い場合には冷却送風時間が長くなり、冬期の低温雰囲気中または布量が少ない場合には冷却送風時間が短くなるというように、冷却送風時間が定時間でないため、運転終了の所定時間前に表示により正確に使用者に運転終了が近いことを知らせることができなかった。
【０００４】
また、換気が悪く狭い部屋で衣類乾燥機を使用すると、雰囲気温度が極端に高くなり、通常の冷却送風時間では布の温度が下がりにくいという問題を有していた。
【０００５】
本発明は上記課題を解決するもので、冷却送風時間をあまり長くせずに回転ドラム内温度を十分低下させるとともに、雰囲気温度により決まる冷却送風時間で冷却送風運転を終了させることを目的としている。
【０００６】
【課題を解決するための手段】
本発明は上記目的を達成するために、衣類を乾燥させる回転ドラム内へ送風経路に設けた加熱手段で加熱した温風を送風手段により送風し、回転ドラムと送風手段をモータにより回転駆動し、制御手段は、温度検知手段により検知した温度のデータに基づきモータおよび加熱手段を制御して乾燥運転を行った後、加熱手段をオフしてモータのみを駆動する冷却送風運転を行うようにし、冷却送風運転の時間は、乾燥運転開始時において温度検知手段により検知した温度のデータと、乾燥運転開始から冷却送風運転開始までの時間のデータとにより決定するようにしたものである。
【０００７】
これにより、冷却送風時間をあまり長くせずに回転ドラム内温度を十分低下させるとともに、雰囲気温度と衣類の量とにより決まる冷却送風時間で冷却送風運転を終了させることができる。
【０００８】
【発明の実施の形態】
本発明の請求項１に記載の発明は、衣類を収納し乾燥させる回転ドラムと、前記回転ドラム内へ温風を循環させる送風手段と、前記回転ドラムへの送風経路に設けた加熱手段と、前記回転ドラムから排出される排気温度を検知する温度検知手段と、前記回転ドラムおよび前記送風手段を駆動するモータと、前記温度検知手段により検知した温度のデータを入力し前記モータおよび前記加熱手段を制御して乾燥運転を制御する制御手段とを備え、前記制御手段は、前記温度検知手段により検知した温度のデータに基づき前記モータおよび前記加熱手段を制御して乾燥運転を行った後、前記加熱手段をオフして前記モータのみを駆動する冷却送風運転を行うようにし、前記冷却送風運転の時間は、乾燥運転開始時において前記温度検知手段により検知した温度のデータと、乾燥運転開始から冷却送風運転開始までの時間のデータとにより決定するようにしたものであり、冷却送風時間をあまり長くせずに回転ドラム内温度を十分低下させるとともに、乾燥運転開始時における雰囲気温度と衣類の量により決まる冷却送風時間で冷却送風運転を終了させることができる。
【０００９】
請求項２に記載の発明は、上記請求項１に記載の発明において、制御手段は、冷却送風運転の終了時、温度検知手段により検知した温度が所定の温度以上であれば、冷却送風運転の時間を延ばすようにしたものであり、換気が悪く、狭い部屋で衣類乾燥機を長時間使用したときなど回転ドラムの排気温度が所定の温度まで下がらないときは、冷却送風時間を延ばし、衣類の温度を下げることができ、回転ドラム内の衣類を取り出すとき、やけどの危険がなくなり、安全性を向上することができる。
【００１０】
請求項３に記載の発明は、上記請求項１または２に記載の発明において、表示手段を備え、制御手段は、冷却送風運転終了の所定時間前に前記表示手段により冷却送風運転終了の所定時間前であることを表示するようにしたものであり、冷却送風時間を乾燥運転開始時における雰囲気温度と衣類の量により決まる時間とすることで運転終了時が正確にわかり、所定時間前に表示により運転終了が近いことを精度よく知らせることができる。
【００１１】
請求項４に記載の発明は、上記請求項３に記載の発明において、制御手段は、決定した冷却送風運転の時間が、冷却送風運転終了の所定時間前であることを表示する時間より短いとき、モータおよび加熱手段を制御する乾燥運転を前記所定時間から前記決定した冷却送風運転の時間を引いた時間延長した後、冷却送風運転を前記決定した冷却送風運転の時間行うようにしたものであり、低温雰囲気中や衣類の量が少なく、冷却送風時間が所定時間より短い場合でも、冷却送風時間を雰囲気温度により決まる時間、または雰囲気温度と衣類の量により決まる時間とし、かつ乾燥運転時間を延長して運転終了の所定時間前に表示により運転終了が近いことを精度よく知らせることができる。
【００１２】
【実施例】
以下、本発明の実施例について、図面を参照しながら説明する。
【００１３】
（実施例１）
図２に示すように、回転ドラム１は、衣類を入れて乾燥させるもので、熱交換型両翼ファン（送風手段）２により、回転ドラム１と熱交換型両翼ファン２の間の送風経路３に設けたＰＴＣヒータ（加熱手段）４を通して、加熱した温風を回転ドラム１に送るようにしている。回転ドラム１の内部の排気口側に糸屑を取るフィルター５を配設している。
【００１４】
熱交換型両翼ファン２は、回転ドラム１へ送風すると同時に、湿った空気を外気により冷却して回転ドラム１内の水分を除湿する。ＰＴＣヒータ４は、温度−抵抗特性が正特性の半導体ヒータで構成し、送風量や温度により発熱量が変化するものである。モータ６は熱交換型両翼ファン２と回転ドラム１を回転駆動する。温度検知手段７は、回転ドラム１内の排気温度を検知するもので、回転ドラム１と熱交換型両翼ファン２の間に配設している。
【００１５】
制御手段８は、図１に示すように、マイクロコンピュータを主コントロール手段とした制御回路８０と、ＰＴＣヒータ４を構成するヒータ４ａ、４ｂを制御するリレー８１ａ、８１ｂと、モータ６を制御する半導体スイッチング手段８２とで構成している。温度検知手段７は、サーミスタなどの温度により抵抗値が変わる半導体で構成し、マイクロコンピュータに内蔵されたＡ／Ｄ変換回路により温度を検出する。
【００１６】
記憶手段９は半導体メモリで構成し、（表１）に示すように、予め決められた乾燥運転開始時に温度検知手段７により検知した排気温度Ｔと冷却送風時間の関係のデータが記憶されていて、制御手段８に入力される。ここで、乾燥運転開始時に温度検知手段７により検知した排気温度Ｔは、雰囲気温度とほぼ同じである。
【００１７】
【表１】
0003807095.tif 000002
【００１８】
交流電源１０よりＰＴＣヒータ４とモータ６に交流電圧が印加される。制御手段８は温度検知手段７の温度と温度変化より回転ドラム１内の衣類の乾燥度合いを検出し、かつ、温度検知手段７により検知した排気温度が設定値以下となるようにＰＴＣヒータ４をリレー８１によりオンオフ制御して、温度調整を行う。乾燥運転終了時には、ＰＴＣヒータ４をオフしてモータ６のみ駆動し、冷却送風運転すなわち送風運転を行う。このとき、制御手段８は、温度検知手段７による温度データと記憶手段９の温度と時間のデータから冷却送風時間を決定するようにしている。
【００１９】
上記構成において図３を参照しながら動作を説明すると、ステップ１０１より乾燥運転プログラムが開始され、ステップ１０２で温度検知手段７により、排気温度Ｔを入力し、ステップ１０３で制御手段８は記憶手段９に予め記憶している乾燥運転開始時の排気温度Ｔに対応した冷却送風時間データから、冷却送風時間を決定する。
【００２０】
衣類や機器の温度上昇によるやけどを防止するために、排気温度が約４５℃以下になるように冷却送風時間が設定されている。また、乾燥運転開始前の排気温度Ｔはほぼ雰囲気温度を表しており、排気温度が約４５℃以下になる冷却送風時間は周囲温度とほぼ比例関係にある。すなわち低温では冷却送風時間は短くなり、高温では長くなる。たとえば、排気温度Ｔ＝２０℃のとき、冷却送風運転は１０分間おこなわれる。
【００２１】
ステップ１０４で乾燥運転サブルーチンを行う。すなわち、制御手段８は温度検知手段７の温度と温度変化より回転ドラム１内の衣類の乾燥度合いを検出し、かつ、温度検知手段７により検知した排気温度が設定値以下となるようにＰＴＣヒータ４をリレー８１によりオンオフ制御して、温度調整を行う。乾燥運転が終了すると、ステップ１０５で、ＰＴＣヒータ４をオフしてモータ６のみ駆動し、冷却送風運転を行う。ステップ１０６で冷却送風運転が終了すると、ステップ１０７で運転を終了する。
【００２２】
このように本実施例によれば、乾燥運転終了時の冷却送風運転において、乾燥運転開始時の温度検知手段７の検知温度から雰囲気温度を推定し、記憶手段９に記憶したデータにより冷却送風時間を決定するので、冷却送風時間をあまり長くせずに回転ドラム１内温度を十分低下させるとともに、雰囲気温度により決まる冷却送風時間で冷却送風運転を終了させることができる。
【００２３】
（実施例２）
図１に示す記憶手段９は、（表２）に示すように、予め決められた乾燥運転開始時に温度検知手段７により検知した排気温度Ｔと、乾燥運転開始から冷却送風運転までの時間Ｓと、冷却送風時間の関係のデータを記憶している。ここで、乾燥運転開始時に温度検知手段７により検知した排気温度Ｔは、雰囲気温度とほぼ同じである。なお、（表２）で単位は分である。
【００２４】
【表２】
0003807095.tif 000003
【００２５】
制御手段８は、乾燥運転終了時の冷却送風運転において、乾燥運転開始時の温度検知手段７による検知温度から推定した雰囲気温度と乾燥運転開始から冷却送風運転開始までの時間と記憶手段９の記憶データにより、冷却送風時間を決定するようにしている。他の構成は上記実施例１と同じである。
【００２６】
上記構成において図４を参照しながら動作を説明すると、ステップ２０１より乾燥運転プログラムが開始され、ステップ２０２でタイマーをスタートする。ステップ２０３で温度検知手段７により排気温度Ｔを入力し、ステップ２０４で乾燥運転サブルーチンを行う。すなわち、制御手段８は温度検知手段７の温度と温度変化より回転ドラム１内の衣類の乾燥度合いを検出し、かつ、温度検知手段７により検知した排気温度が設定値以下となるようにＰＴＣヒータ４をリレー８１によりオンオフ制御して、温度調整を行う。
【００２７】
ステップ２０５でタイマーをストップする。ステップ２０６で、制御手段８は乾燥運転開始から冷却送風運転（乾燥終了）までの時間Ｓを計算する。ステップ２０７で制御手段８は記憶手段９に予め記憶している排気温度Ｔと乾燥運転開始から冷却送風運転までの時間Ｓに対応した冷却送風時間データから、冷却送風時間を決定する。
【００２８】
乾燥運転開始前の排気温度Ｔはほぼ雰囲気温度を表しており、排気温度が約４５℃以下になる冷却送風時間は周囲温度とほぼ比例関係にある。すなわち低温では冷却送風時間は短くなり、高温では長くなる。また、冷却送風時間は、衣類の量ともほぼ比例関係にあり、衣類の量が少なければ冷却送風時間も短く、量が多ければ、冷却送風時間も長くなる。よって、衣類の量は乾燥運転時間によりおよそ推定できる。
【００２９】
すなわち、衣類の量が少なければ乾燥時間も短く、量が多ければ、乾燥時間も長くなる。たとえば、排気温度Ｔ＝２０℃、乾燥運転開始から冷却送風運転（乾燥終了）までの時間Ｓ＝９０分のとき、冷却送風は１０分間おこなわれる。このように、冷却送風時間を決定するパラメータとして周囲温度に衣類の量を加えることにより、排気温度が約４５℃以下になる冷却送風時間をきめ細かく冷却送風時間を決定することができる。
【００３０】
ステップ２０８で、ＰＴＣヒータ４をオフしてモータ６のみ駆動し、冷却送風運転を行う。ステップ２０９で冷却送風運転が終了すると、ステップ２１０で運転を終了する。
【００３１】
このように本実施例によれば、乾燥運転終了時の冷却送風運転において、乾燥運転開始時の温度検知手段７の検知温度から推定した雰囲気温度と乾燥運転開始から冷却送風運転までの時間と記憶手段９に記憶したデータにより、冷却送風時間を制御するので、冷却送風時間をあまり長くせずに回転ドラム内温度を十分低下させるとともに、雰囲気温度と衣類の量とにより決まる冷却送風時間で冷却送風運転を終了させることができる。
【００３２】
（実施例３）
図１に示す制御手段８は、冷却送風時間の終了時、温度検知手段７による検知温度が所定の温度（たとえば、４７℃）以上であれば、冷却送風時間を延ばすようにしている。ここで、所定の温度（４７℃）は予め実験により得られた値で、機器や布の温度が十分さがり、やけどなどの危険がない温度である。他の構成は上記実施例１または２と同じである。
【００３３】
上記構成において図５を参照しながら動作を説明する。なお、ステップ２０１からステップ２０９までの動作は、上記実施例２と同じ動作であるので説明を省略する。
【００３４】
ステップ３０１で温度検知手段７により排気温度Ｔ１を検知して制御手段８に入力する。通常、衣類乾燥機は換気設備があるかまたは広い空間で使用されるので、機器自体の発熱により若干雰囲気温度が上がる程度であるが、たとえば狭い空間に機器が設置され、かつ換気がなされないと、雰囲気温度は急激に上昇することになる。
【００３５】
このような場合、冷却送風による冷却効率が悪くなるため、通常よりも長く冷却送風時間を行わなければ、排気温度が所定の温度（４７℃）以下にならなくなる。よって、このような特異な場合のみ、安全性を優先させて冷却送風時間を所定の時間おこなった後、排気温度が約４７℃以下になるまで冷却送風時間を延ばす。ステップ３０２で排気温度が所定の温度以下ならば、ステップ３０３で運転を終了する。
【００３６】
このように本実施例によれば、冷却送風時間の終了時、温度検知手段７による検知温度が所定の温度以上であれば、冷却送風時間を延ばすようにしたので、換気が悪く狭い部屋で衣類乾燥機を長時間使用したときなどでは、冷却送風時間を延ばし、布の温度を下げることができ、回転ドラム内の衣類を取り出すとき、やけどの危険がなくなり、安全性を向上することができる。
【００３７】
（実施例４）
図６に示すように、表示手段１１は、表示ランプからなり、制御手段８の信号により表示ランプを点灯させたり、点滅させたりする。制御手段８は、運転終了の所定時間（たとえば、１０分）前に表示手段１１により運転終了の所定時間前であることを表示するようにしている。他の構成は上記実施例１と同じである。
【００３８】
上記構成において図７を参照しながら動作を説明する。なお、ステップ２０１からステップ２０８までの動作は、上記実施例２と同じ動作であるので説明を省略する。
【００３９】
ステップ４０１で冷却送風終了まで残り１０分以下ならば、ステップ４０２で表示手段１１により、残り１０分であることを表示する。衣類乾燥機による乾燥では、衣類の量によって乾燥時間が約３０分から約２４０分までばらつきがあり、使用者にとってはいつ終了するかわからない。そこで、運転終了の１０分前に表示により使用者に知らせることで、使用者は冷却送風終了直後の衣類を取り出すことができ、衣類を回転ドラム１に入れたまましわになったりせず、最適な乾燥状態で衣類を取り出すことができる。
【００４０】
ステップ４０３で冷却送風運転が終了すると、ステップ４０４で表示手段１１の表示ランプを消灯し、ステップ４０５で運転を終了する。
【００４１】
このように本実施例によれば、運転終了の所定時間前に表示手段１１により、運転終了の所定時間前であることを表示するようにしたので、冷却送風時間を雰囲気温度により決まる時間、または雰囲気温度と衣類の量により決まる時間とすることで運転終了時が正確にわかり、所定時間前に表示により運転終了が近いことを精度よく知らせることができる。
【００４２】
（実施例５）
図６に示す制御手段８は、冷却送風時間が運転終了の所定時間（１０分）前であることを表示する時間より短いとき、乾燥運転を延長したのち冷却送風運転をおこない、運転終了の所定時間前に表示するようにしている。
【００４３】
上記構成において図８を参照しながら動作を説明する。なお、ステップ２０１からステップ２０７までの動作は、上記実施例４と同じ動作であるので説明を省略する。
【００４４】
ステップ５０１で制御手段８はステップ２０７で決定した冷却送風時間が所定時間（１０分）以上かどうかを判定する。冷却送風時間が１０分以上ならば、ステップ５０３で冷却送風終了まで残り１０分になると、ステップ５０４で表示手段１１により残り１０分表示ランプを点灯させる。
【００４５】
ステップ５０１で冷却送風時間が１０分未満のとき、すなわち（表２）に見られるように、雰囲気温度が低い場合や衣類の量が少ないとき、冷却送風時間は１０分より短くなるため、運転終了前残り１０分表示をしても、１０分よりも早く運転が終了することになる。
【００４６】
そこで、冷却送風時間が１０分未満のときは、ステップ５０５で表示手段１１により、すぐに残り１０分表示ランプを点灯させるとともに、ステップ５０６で乾燥運転を延長する。この延長時間は１０分から記憶手段９のテーブルにより決められた冷却送風時間を引いた時間となる。乾燥運転の延長時間が終了すると、ステップ５０７でＰＴＣヒータ４をオフしてモータ６のみ駆動し、冷却送風運転を行う。ステップ５０８で冷却送風運転が終了すると、ステップ５０９で表示手段１１の表示を消灯し、ステップ５１０で運転を終了する。
【００４７】
このように本実施例によれば、冷却送風時間が運転終了の所定時間前であることを表示する時間より短いとき、乾燥運転を延長したのち冷却送風をおこない、運転終了の所定時間前に表示するので、低温雰囲気中や布量が少なく、冷却送風時間が所定時間より短い場合でも、冷却送風時間を雰囲気温度により決まる時間、または雰囲気温度と衣類の量により決まる時間とし、かつ乾燥運転時間を延長して運転終了の所定時間前に表示により運転終了が近いことを精度よく知らせることができる。
【００４８】
【発明の効果】
以上のように本発明の請求項１に記載の発明によれば、衣類を収納し乾燥させる回転ドラムと、前記回転ドラム内へ温風を循環させる送風手段と、前記回転ドラムへの送風経路に設けた加熱手段と、前記回転ドラムから排出される排気温度を検知する温度検知手段と、前記回転ドラムおよび前記送風手段を駆動するモータと、前記温度検知手段により検知した温度のデータを入力し前記モータおよび前記加熱手段を制御して乾燥運転を制御する制御手段とを備え、前記制御手段は、前記温度検知手段により検知した温度のデータに基づき前記モータおよび前記加熱手段を制御して乾燥運転を行った後、前記加熱手段をオフして前記モータのみを駆動する冷却送風運転を行うようにし、前記冷却送風運転の時間は、乾燥運転開始時において前記温度検知手段により検知した温度のデータと、乾燥運転開始から冷却送風運転開始までの時間のデータとにより決定するようにしたから、冷却送風時間をあまり長くせずに回転ドラム内温度を十分低下させるとともに、乾燥運転開始時における雰囲気温度と衣類の量により決まる冷却送風時間で冷却送風運転を終了させることができる。
【００４９】
また、請求項２に記載の発明によれば、制御手段は、冷却送風運転の終了時、温度検知手段により検知した温度が所定の温度以上であれば、冷却送風運転の時間を延ばすようにしたから、換気が悪く、狭い部屋で衣類乾燥機を長時間使用したときなど回転ドラムの排気温度が所定の温度まで下がらないときは、冷却送風時間を延ばし、衣類の温度を下げることができ、回転ドラム内の衣類を取り出すとき、やけどの危険がなくなり、安全性を向上することができる。
【００５０】
また、請求項３記載の発明によれば、表示手段を備え、制御手段は、冷却送風運転終了の所定時間前に前記表示手段により冷却送風運転終了の所定時間前であることを表示するようにしたから、冷却送風時間を雰囲気温度により決まる時間、または雰囲気温度と衣類の量により決まる時間とすることで運転終了時が正確にわかり、所定時間前に表示により運転終了が近いことを精度よく知らせることができる。
【００５１】
また、請求項４に記載の発明によれば、制御手段は、決定した冷却送風運転の時間が、冷却送風運転終了の所定時間前であることを表示する時間より短いとき、モータおよび加熱手段を制御する乾燥運転を前記所定時間から前記決定した冷却送風運転の時間を引いた時間延長した後、冷却送風運転を前記決定した冷却送風運転の時間行うようにしたから、低温雰囲気中や衣類の量が少なく、冷却送風時間が所定時間より短い場合でも、冷却送風時間を雰囲気温度により決まる時間、または雰囲気温度と衣類の量により決まる時間とし、かつ乾燥運転時間を延長して運転終了の所定時間前に表示により運転終了が近いことを精度よく知らせることができる。
【図面の簡単な説明】
【図１】  本発明の第１の実施例の衣類乾燥機の一部ブロック化した回路図
【図２】  同衣類乾燥機の断面図
【図３】  同衣類乾燥機の要部動作フローチャート
【図４】  本発明の第２の実施例の衣類乾燥機の要部動作フローチャート
【図５】  本発明の第３の実施例の衣類乾燥機の要部動作フローチャート
【図６】  本発明の第４の実施例の衣類乾燥機の一部ブロック化した回路図
【図７】  同衣類乾燥機の要部動作フローチャート
【図８】  本発明の第５の実施例の衣類乾燥機の要部動作フローチャート
【符号の説明】
１  回転ドラム
２  熱交換型両翼ファン（送風手段）
３  送風経路
４  ＰＴＣヒータ（加熱手段）
６  モータ
７  温度検知手段
８  制御手段
９  記憶手段
【図１】
0003807095.tif 000004
【図２】
0003807095.tif 000005
【図３】
0003807095.tif 000006
【図４】
0003807095.tif 000007
【図５】
0003807095.tif 000008
【図６】
0003807095.tif 000009
【図７】
0003807095.tif 000010
【図８】
0003807095.tif 000011